(57)【特許請求の範囲】
【請求項１】
乗客が乗る踏板を備え、前記踏板の表面に、乗降口の床板に設けられるくしの歯が係合するクリート溝が形成された乗客コンベアの踏段において、
前記踏板の前記クリート溝を、底部付近に比べて上端部が広くなる形状に設定し、
前記クリート溝は、当該クリート溝に侵入した異物が当該クリート溝の前記底部方向に落下することを規制する段部と、前記段部の上側に位置する第１空間部と、前記段部の下側に位置して前記くしの歯の挿入が可能な空間部を形成する第２空間部と、を有することを特徴とする乗客コンベアの踏段。
【請求項２】
請求項１に記載の乗客コンベアの踏段において、
前記クリート溝を、前記底部側から前記上端部側に行くに従って徐々に広くなる形状に設定したことを特徴とする乗客コンベアの踏段。
【請求項３】
請求項２に記載の乗客コンベアの踏段において、
前記底部の断面形状を、半楕円状に設定したことを特徴とする乗客コンベアの踏段。
【請求項４】
無端状に連結された複数の踏段と、乗降口の床板に設けられたくしの歯とを備え、前記踏段の上面に設けられた乗客が乗る踏板の表面に、前記くしの歯が係合するクリート溝が形成されている乗客コンベアにおいて、
前記踏板の前記クリート溝を、底部付近に比べて上端部が広くなる形状に設定し、
前記クリート溝に、当該クリート溝に侵入した異物が当該クリート溝の前記底部方向に落下することを規制する段部と、前記段部の上側に位置する第１空間部と、前記段部の下側に位置して前記くしの歯の挿入が可能な第２空間部と、を形成したことを特徴とする乗客コンベア。
【発明の詳細な説明】
【技術分野】
【０００１】
本発明は、乗客が乗る踏板の表面にクリート溝が形成されたエスカレータ等の乗客コンベアの踏段と、そのような踏段を備えた乗客コンベアに関する。
【背景技術】
【０００２】
乗客コンベア例えばエスカレータは、乗客を所定階床から次の階床へ移送させる踏段が設けられている。この踏段は、踏段チェーンによって無端状に連結されて循環する構成となっている。
【０００３】
踏段に設けられ乗客の乗る踏板の表面には、クリート溝が形成されている。この踏板のクリート溝と、乗降口の床板に設けられるくしの歯とが係合することにより、乗降口における乗客の安全な乗り降りが確保される。
【０００４】
ところで、踏板のクリート溝に乗客を介して運ばれてきた小石、塵埃などの異物が侵入し、クリート溝に挟まることがある。このような状態となると、踏段が乗降口に達したときに、乗降口の床板に設けたくしの歯と、クリート溝に挟まった異物とが衝突し、これによってクリート溝、あるいはくしの歯が破損する虞がある。
【０００５】
このようなことから従来、特許文献１に、踏板の表面に形成されたクリート溝の内底面の断面形状を円弧状に設定した構成が開示されている。この特許文献１には、前述のクリート溝の内底面の断面形状を円弧状に設定することにより、クリート溝への異物の挟まりが押えられ、しかもクリート溝内に付着した異物の清掃が容易になる、と説明されている。
【先行技術文献】
【特許文献】
【０００６】
【特許文献１】特開２００１−１５１４４９号公報
【発明の概要】
【発明が解決しようとする課題】
【０００７】
前述した従来技術の場合、クリート溝に侵入し、挟まった異物が比較的大きな異物などであるときには、踏段に乗った乗客にその異物を踏むことによる不快感を与えやすい。また、該当する異物がクリート溝内に強く挟まり、その異物の除去作業が煩雑になりやすい。
【０００８】
本発明は、前述した従来技術における実情からなされたもので、その目的は、クリート溝に侵入した異物が比較的大きな異物である場合でも、クリート溝から容易に除去することができる乗客コンベアの踏段を提供することにある。
【課題を解決するための手段】
【０００９】
前記目的を達成するために、本発明に係る乗客コンベアの踏段は、乗客が乗る踏板を備え、前記踏板の表面に、乗降口の床板に設けられるくしの歯が係合するクリート溝が形成された乗客コンベアの踏段において、前記踏板の前記クリート溝を、底部付近に比べて上端部が広くなる形状に設定し、前記クリート溝は、当該クリート溝に侵入した異物が当該クリート溝の前記底部方向に落下することを規制する段部と、前記段部の上側に位置する第１空間部と、前記段部の下側に位置して前記くしの歯の挿入が可能な空間部を形成する第２空間部と、を有することを特徴としている。
【発明の効果】
【００１０】
本発明に係る乗客コンベアの踏段は、クリート溝に侵入した異物が比較的大きな異物である場合でも、踏段の移動に伴ってクリート溝と係合するくしの歯によってクリート溝から容易に除去することができる。したがって本発明は、クリート溝に挟まった異物によって乗客が受ける不快感を従来よりも少なくすることができる。また、従来におけるようなクリート溝に挟まった異物の除去作業は不要になり、踏段の保守管理が簡単になる。
【図面の簡単な説明】
【００１１】
【図１】本発明に係る踏段の一実施形態が設けられる乗客コンベアの一例として挙げたエスカレータの概略構成を示す側面図である。
【図２】図１に示すエスカレータに設けられる本実施形態に係る踏段を示す斜視図である。
【図３】本実施形態に係る踏段と、乗降口の床板のくしの歯との位置関係を示す要部斜視図である。
【図４】本実施形態に係る踏段の踏板に形成されたクリート溝を示す要部断面図である。
【図５】本実施形態に係る踏段の踏板に形成されたクリート溝に侵入した異物が、乗客の足によって押し込まれる様子を示す要部断面図である。
【図６】図５に示した異物よりも大きな異物が、クリート溝に挟まった状態を示す要部断面図である。
【図７】図５に示したクリート溝内の異物、または図６に示したクリート溝内の異物が、くしの歯によって除去される様子を示す要部側面図である。
【発明を実施するための形態】
【００１２】
以下、本発明に係る乗客コンベアの踏段の実施の形態を図面に基づいて説明する。
【００１３】
図１に示すように、本発明に係る踏段の一実施形態が設けられる乗客コンベア、例えばエスカレータ１は、複数の本実施形態に係る踏段２が踏段チェーン３によって無端状に連結され、循環走行する構成になっている。
【００１４】
図２に示すように、踏段２は、その上面に乗客が乗る踏板２ａを備え、踏板２ａの表面には、多数のクリート溝２ｂが形成されている。
【００１５】
図３に示すように、踏板２ａのクリート溝２ｂには、乗降口の床板に取り付けられたくしの歯４の先端４ａ（図７に示す）が係合する。これにより乗降口を乗り降りする際に乗客が引き込まれることを防ぎ、乗客の安全性が確保される。
【００１６】
図４に示すように、本実施形態に係る踏段２は、踏板２ａのクリート溝２ｂを、底部２ｅ付近に比べて上端部２ｆが広くなる形状に設定し、クリート溝２ｂは底部２ｅ付近に、くしの歯４の先端４ａの挿入が可能な空間部を有している。
【００１７】
またクリート溝２ｂは、当該クリート溝２ｂに侵入した異物が、当該クリート溝２ｂの底部２ｅ方向に落下することを規制する規制部、例えば段部２ｇを有している。
【００１８】
また、このクリート溝２ｂは、段部２ｇの上側に第１空間部２ｃを有し、段部２ｇの下側に、前述したくしの歯４の先端４ａが挿入可能な空間部を形成する第２空間部２ｄを有している。
【００１９】
さらにクリート溝２ｂの全体は、底部２ｅ側から上端部２ｆ側に行くにしたがって徐々に広くなる形状に設定してある。すなわち、第２空間部２ｄにおいては、底部２ｅ側から段部２ｇに行くにしたがって徐々に広くなる形状に設定してあり、第１空間部２ｃにおいては、段部２ｇ側から上端部２ｆ側に行くにしたがって徐々に広くなる形状に設定してある。なお、底部２ｅの断面形状は、例えば半楕円状に設定してある。
【００２０】
このように構成した本実施形態に係る踏段２にあっては、図５に示すように、小石、塵埃等の異物５がクリート溝２ｂに侵入し、例えば乗客によって踏まれて底部２ｅ方向に押し込まれた際に、段部２ｇによって係止され第１空間部２ｃ内において挟まれた状態となる。図６に示すように、異物５に比べて大きな異物６がクリート溝２ｂに侵入した場合も同様であり、その大きな異物６は段部２ｇに確実に係止され、第１空間部２ｃ内において強く挟まれた状態となる。
【００２１】
このように踏段２のクリート溝２ｂに異物５，６が侵入し、挟まった場合でも、踏段２が移動して乗降口に達したとき、図７に示すように、乗降口の床板に設けられたくしの歯４の先端４ａがクリート溝２ｂに係合する。
【００２２】
すなわち本実施形態は、踏段２の移動に伴ってくしの歯４の先端４ａが、クリート溝２ｂの第２空間部２ｄに入り込む。これにより、クリート溝２ｂに挟まれた異物５、または大きな異物６がくしの歯４の上面に沿うように押し上げられ、これらの異物５，６を踏段２の移動によって自動的に、確実に除去することができる。
【００２３】
以上のように構成した本実施形態に係る踏段２にあっては、クリート溝２ｂの上端部２ｆから異物５，６が侵入し、徐々に狭くなるクリート溝２ｂの中途部分に挟まった場合でも、踏段２が乗降口に達したときに、前述のようにして異物５，６をクリート溝２ｂから除去することができる。すなわち本実施形態は、クリート溝２ｂに侵入した異物が、異物５はもちろんのこと、比較的大きな異物６である場合にも、踏段２の移動に伴ってクリート溝２ｂと係合するくしの歯４によってクリート溝２ｂから容易に除去することができる。したがって、本実施形態によれば、クリート溝２ｂに挟まった異物５，６によって乗客が受ける不快感を少なくすることができる。また、クリート溝２ｂに挟まった異物の除去作業が不要になり、踏段２の保守管理が簡単になる。
【００２４】
また本実施形態は、クリート溝２ｂに侵入した異物５，６に対する規制部、すなわち段部２ｇによる底部２ｅ方向への落下の規制により、くしの歯４の先端４ａが挿入可能な空間部を底部２ｅ付近に確実に形成させることができ、クリート溝２ｂに挟まった異物５，６に対する精度の高い除去性能を確保することができる。
【００２５】
すなわち本実施形態は、クリート溝２ｂに侵入した異物５，６を第１空間部２ｃ内に保持した状態で、第２空間部２ｄ内にくしの歯４の先端４ａを挿入させることができ、異物５，６の除去を確実に行わせることができる。
【００２６】
また本実施形態は、クリート溝２ｂを、底部２ｅ側から上端部２ｆ側に行くにしたがって徐々に広くなる形状に設定したことから、踏板２ａ上の比較的大きな異物６も積極的にクリート溝２ｂへ侵入させることができるとともに、クリート溝２ｂの中途部分において係止させた状態に保つことができ、底部２ｅ付近に挿入したくしの歯４によって比較的大きな異物６も確実に除去することができる。
【００２７】
また本実施形態は、クリート溝２ｂの底部２ｅの断面形状を半楕円状に、すなわち底部２ｅの底面を曲面状に設定したことから、塵埃等の小さな異物がクリート溝２ｂの底部２ｅに溜まった場合でも、その溜まった異物を容易に除去することができる。
【００２８】
なお本発明は、前述した実施形態に限られず、様々の態様を取り得る。例えば、クリート溝２ｂが段部２ｇを有さない構成とすることもできる。また、クリート溝２ｂを形成する第１空間部２ｃを、段部２ｇから上端部２ｆに至る間の径寸法が一定となる円筒空間に形成してもよい。また例えば規制部を、段部２ｇに代えて、周方向に所定間隔で配置される複数の突起部によって構成してもよい。
【符号の説明】
【００２９】
１    エスカレータ（乗客コンベア）
２    踏段（本実施形態）
２ａ  踏板
２ｂ  クリート溝
２ｃ  第１空間部
２ｄ  第２空間部
２ｅ  底部
２ｆ  上端部
２ｇ  段部［規制部］
３    踏段チェーン
４    くしの歯
４ａ  先端
５    異物
６    大きな異物
【図１】
0006435232.tif 000002
【図２】
0006435232.tif 000003
【図３】
0006435232.tif 000004
【図４】
0006435232.tif 000005
【図５】
0006435232.tif 000006
【図６】
0006435232.tif 000007
【図７】
0006435232.tif 000008